【手続補正書】
【提出日】平成19年11月30日(2007.11.30)
【手続補正１】
【補正対象書類名】明細書
【補正対象項目名】請求項１
【補正方法】変更
【補正の内容】
【請求項１】  ヒータと、ヒータと摺動するフィルムとを有する定着部材と、フィルムを介してヒータと圧接して定着ニップを形成する加圧部材と、を有し、定着ニップのフィルムと加圧部材の間で未定着画像が形成された記録材を挟持搬送してフィルムを介したヒータからの熱で未定着画像を記録材上に定着させる加熱定着装置を有する画像形成装置において、
上記加熱定着装置は最大通紙幅より内側で最小通紙幅より外側に温度検知手段を有し、
上記温度検知手段による検知温度が、しきい値Ｔ１、Ｔ２、・・・Ｔｎ（Ｔ１＜Ｔ２＜・・・＜Ｔｎ）を超える毎に、スループットをＰ１、Ｐ２、・・・Ｐｎ（Ｐ１＞Ｐ２＞・・・＞Ｐｎ）と順次低下させることを特徴とする画像形成装置。
【手続補正２】
【補正対象書類名】明細書
【補正対象項目名】請求項２
【補正方法】変更
【補正の内容】
【請求項２】  ヒータと、ヒータと摺動するフィルムとを有する定着部材と、フィルムを介してヒータと圧接して定着ニップを形成する加圧部材と、を有し、定着ニップのフィルムと加圧部材の間で未定着画像が形成された記録材を挟持搬送してフィルムを介したヒータからの熱で未定着画像を記録材上に定着させる加熱定着装置を有する画像形成装置において、
上記加熱定着装置は最大通紙幅より内側で最小通紙幅より外側に温度検知手段を有し、
上記温度検知手段による検知温度が、しきい値Ｔ１、Ｔ２、・・・Ｔｎ（Ｔ１＞Ｔ２＞・・・＞Ｔｎ）を下回る毎に、スループットをＰ１、Ｐ２、・・・Ｐｎ（Ｐ１＜Ｐ２＜・・・＜Ｐｎ）と順次増加させることを特徴とする画像形成装置。
【手続補正３】
【補正対象書類名】明細書
【補正対象項目名】請求項４
【補正方法】変更
【補正の内容】
【請求項４】  ヒータと、ヒータと摺動するフィルムとを有する定着部材と、フィルムを介してヒータと圧接して定着ニップを形成する加圧部材と、を有し、定着ニップのフィルムと加圧部材の間で未定着画像が形成された記録材を挟持搬送してフィルムを介したヒータからの熱で未定着画像を記録材上に定着させる加熱定着装置を有する画像形成装置において、
上記加熱定着装置は最大通紙幅より内側で最小通紙幅より外側に定着温度検知手段を有し、
画像形成装置の設置された雰囲気温度を検知する外気温度検知手段を有し、
上記の定着温度検知手段と外気温度検知手段の検知温度に応じて、記録材と記録材の搬送間隔を複数段階に切り替える
ことを特徴とする画像形成装置。
【手続補正４】
【補正対象書類名】明細書
【補正対象項目名】０００５
【補正方法】変更
【補正の内容】
【０００５】
基本的には、支持体に固定支持させたヒータ（加熱部材、加熱体）と、該ヒータと摺動する耐熱性・薄肉のフィルム（定着フィルム）とを有する定着部材と、フィルムを介してヒータと圧接して定着ニップを形成する加圧部材としての加圧ローラと、を有し、定着ニップのフィルムと加圧ローラの間で未定着画像が形成された記録材を挟持搬送してフィルムを介したヒータからの熱で未定着画像を加熱定着させるものである。
【手続補正５】
【補正対象書類名】明細書
【補正対象項目名】００１５
【補正方法】変更
【補正の内容】
【００１５】
（１）ヒータと、ヒータと摺動するフィルムとを有する定着部材と、フィルムを介してヒータと圧接して定着ニップを形成する加圧部材と、を有し、定着ニップのフィルムと加圧部材の間で未定着画像が形成された記録材を挟持搬送してフィルムを介したヒータからの熱で未定着画像を記録材上に定着させる加熱定着装置を有する画像形成装置において、
上記加熱定着装置は最大通紙幅より内側で最小通紙幅より外側に温度検知手段を有し、
上記温度検知手段による検知温度が、しきい値Ｔ１、Ｔ２、・・・Ｔｎ（Ｔ１＜Ｔ２＜・・・＜Ｔｎ）を超える毎に、スループットをＰ１、Ｐ２、・・・Ｐｎ（Ｐ１＞Ｐ２＞・・・＞Ｐｎ）と順次低下させることを特徴とする画像形成装置、である。
【手続補正６】
【補正対象書類名】明細書
【補正対象項目名】００１７
【補正方法】変更
【補正の内容】
【００１７】
（２）ヒータと、ヒータと摺動するフィルムとを有する定着部材と、フィルムを介してヒータと圧接して定着ニップを形成する加圧部材と、を有し、定着ニップのフィルムと加圧部材の間で未定着画像が形成された記録材を挟持搬送してフィルムを介したヒータからの熱で未定着画像を記録材上に定着させる加熱定着装置を有する画像形成装置において、
上記加熱定着装置は最大通紙幅より内側で最小通紙幅より外側に温度検知手段を有し、
上記温度検知手段による検知温度が、しきい値Ｔ１、Ｔ２、・・・Ｔｎ（Ｔ１＞Ｔ２＞・・・＞Ｔｎ）を下回る毎に、スループットをＰ１、Ｐ２、・・・Ｐｎ（Ｐ１＜Ｐ２＜・・・＜Ｐｎ）と順次増加させることを特徴とする画像形成装置、である。
【手続補正７】
【補正対象書類名】明細書
【補正対象項目名】００２１
【補正方法】変更
【補正の内容】
【００２１】
（４）ヒータと、ヒータと摺動するフィルムとを有する定着部材と、フィルムを介してヒータと圧接して定着ニップを形成する加圧部材と、を有し、定着ニップのフィルムと加圧部材の間で未定着画像が形成された記録材を挟持搬送してフィルムを介したヒータからの熱で未定着画像を記録材上に定着させる加熱定着装置を有する画像形成装置において、
上記加熱定着装置は最大通紙幅より内側で最小通紙幅より外側に定着温度検知手段を有し、
画像形成装置の設置された雰囲気温度を検知する外気温度検知手段を有し、
上記の定着温度検知手段と外気温度検知手段の検知温度に応じて、記録材と記録材の搬送間隔を複数段階に切り替える
ことを特徴とする画像形成装置、である。
【手続補正８】
【補正対象書類名】明細書
【補正対象項目名】００５８
【補正方法】変更
【補正の内容】
【００５８】
（３）スループット制御
本実施例では、上記のように非通紙領域に設けた端部サーミスタ１５（最大通紙幅より内側で最小通紙幅より外側の温度検知手段（定着温度検知手段））により、非通紙昇温を検知し、制御回路３０でスループットの制御を行う。
【手続補正９】
【補正対象書類名】明細書
【補正対象項目名】００６２
【補正方法】変更
【補正の内容】
【００６２】
ｓｔｅｐ２〜４：同様にして、しきい値Ｔ２（２６０℃）、Ｔ３（２６５℃）、Ｔ４（２７０℃）を超えているかをモニターし、超えていればスループットをそれぞれＰ２（１２ｐｐｍ）、Ｐ３（９ｐｐｍ）、Ｐ４（６ｐｐｍ）へ順次低下させる。
【手続補正１０】
【補正対象書類名】明細書
【補正対象項目名】００７０
【補正方法】変更
【補正の内容】
【００７０】
以上のように、複数の非通紙部温度しきい値Ｔ１、Ｔ２、・・・Ｔｎ（Ｔ１＜Ｔ２＜・・・＜Ｔｎ）を設け、各しきい値を超える毎にスループットをＰ１、Ｐ２、・・・Ｐｎ（Ｐ１＞Ｐ２＞・・・＞Ｐｎ）と段階的にダウンすることにより、非通紙部を過度に昇温させることなく紙厚に応じた最終スループットに収束させることが可能となり、紙厚に応じてスループットの最大化が可能となった。
【手続補正１１】
【補正対象書類名】明細書
【補正対象項目名】００８９
【補正方法】変更
【補正の内容】
【００８９】
以上のように、非通紙部の温度上昇率を検知し、検知結果に応じて、定着温度を変える（異ならせる）ことによって、紙厚に依らず非通紙部の過度の昇温を抑え、且つ、スループットの最大化が可能となる。
【手続補正１２】
【補正対象書類名】明細書
【補正対象項目名】００９１
【補正方法】変更
【補正の内容】
【００９１】
本実施例の特徴は、画像形成装置の設置された雰囲気温度を検知する外気温検知センサー（外気温検知手段）３３（図４）の検知温度と、定着フィルム内に設けられた定着温度制御用の温度検知素子であるサーミスタ１５の検知温度に応じて、記録材と記録材の搬送間隔（以下ではスループットとして、１分間に通紙できる枚数としてｐｐｍとして示す）を複数段階に切替える。実際には、外気温検知センサー３３での検知温度が高く検知され、サーミスタ１５での非通紙部の端部昇温温度が高く検知された場合には、スループットを小さくすることで端部昇温をより小さく抑えて、定着ニップに存在する記録材が所定の搬送速度で搬送されない定着スリップを防止する点である。
【手続補正１３】
【補正対象書類名】明細書
【補正対象項目名】０１１７
【補正方法】変更
【補正の内容】
【０１１７】
図１２はフィルム加熱方式、電磁誘導加熱方式、加圧用回転体駆動方式の加熱定着装置の一例の概略構成模型図である。１１Ａはヒータとしての鉄板等の電磁誘導発熱性部材である。４０は励磁コイル４１と磁性コア４２から成る磁場発生器（磁場発生手段）である。励磁回路４３から励磁コイル４１に高周波電流が通電されることで発生する高周波磁界（発生磁場）によりヒータ１１Ａが電磁誘導発熱する。このヒータ１１Ａの熱により、定着ニップ部ｎを挟持搬送される記録材Ｐが加熱される。ヒータ１１Ａの温度情報がヒータ温度検知手段としてのチップサーミスタ１４・１５からＡ／Ｄコンバータ３１・３２を介して制御回路３０に取り込まれる。制御回路３０はその入力温度情報を基にヒータ１１Ａの温度を所定の一定温度に制御すべく励磁回路４３を制御する。即ちヒータ１１Ａを電磁誘導発熱させる励磁コイル４１への高周波電流を制御することにより、ヒータ温度を目標温度（プリント温度）に温調制御する構成となっている。